(57)【要約】【課題】  スマートアンテナの受信方向が過去に決定されたことのないチャンネルについても、スマートアンテナの受信方向を高速に決定することができる放送受信装置およびそれを備えたテレビを提供する。【解決手段】  チューナ１６は、アンテナ３０を介して受信する複数のチャンネルを含む放送信号の中から、選択したチャンネルに対応する放送信号を抽出する。デコーダ１８，２０，２２は、チューナ１６から受けた放送信号から映像信号および音声信号を生成する。制御部１０は、メモリ１０ｂに受信方向が記憶されている場合に、受信方向切換部２４に対して、記憶されている受信方向を初期値として受信方向の順次切換えの指示を行なわせ、決定された受信方向でメモリ１０ｂ内の受信方向を更新する。【選択図】        図１
2006042159.tif 000002
【特許請求の範囲】
【請求項１】
指向性の切換えが可能な受信アンテナに対して、受信方向の切換えを指示する指令手段と、
前記受信アンテナを介して受信する複数のチャンネルを含む放送信号の中から、選択したチャンネルに対応する放送信号を抽出する選局手段と、
前記選局手段から受けた放送信号から映像信号および音声信号を生成する信号処理手段と、
受信方向を記憶する記憶手段と、
前記受信アンテナの受信方向を決定する制御部を備え、
前記制御部は、
オートスキャン時にチャンネルを選択したときに、および／またはユーザからチャンネルの選択を受けたときに、前記記憶手段を参照して前記受信方向が記憶されているか否かを調べる手段と、
前記記憶手段に前記受信方向が記憶されている場合に、前記指令手段に対して、前記記憶されている受信方向を初期値として受信方向の順次切換えの指示を行なわせる方向検索制御を行なう手段と、
前記方向検索制御により前記処理手段によって生成された映像信号および／または音声信号に基づき、選択している受信方向の受信可能性を判定する手段と、
前記判定によって受信可能性が所定の基準を満たすときに、選択されている受信方向を前記選択されたチャンネルについての前記受信アンテナの受信方向に決定する手段と、
前記決定された受信方向で前記記憶手段内の受信方向を更新する手段とを含み、
前記方向検索制御を行なう手段は、前記指令手段に対して、前記初期値へ切換えの指示を行なわせ、その後前記初期値の両側の周辺の方向に受信方向が変化するように順次切換えの指示を行なわせ、その後いずれかの回転方向に所定の角度ずつ受信方向が変化するように順次切換えの指示を行なわせ、
前記制御部の各手段は、前記選択されたチャンネルがデジタル放送のチャンネルのときのみ前記各処理を行なう、放送受信装置。
【請求項２】
指向性の切換えが可能な受信アンテナに対して、受信方向の切換えを指示する指令手段と、
前記受信アンテナを介して受信する複数のチャンネルを含む放送信号の中から、選択したチャンネルに対応する放送信号を抽出する選局手段と、
前記選局手段から受けた放送信号から映像信号および音声信号を生成する信号処理手段と、
受信方向を記憶する記憶手段と、
前記受信アンテナの受信方向を決定する制御部とを備え、
前記制御部は、
オートスキャン時にチャンネルを選択したときに、および／またはユーザからチャンネルの選択を受けたときに、前記記憶手段を参照して前記受信方向が記憶されているか否かを調べる手段と、
前記記憶手段に前記受信方向が記憶されている場合に、前記指令手段に対して、前記記憶されている受信方向を初期値として受信方向の順次切換えの指示を行なわせる方向検索制御を行なう手段と、
前記方向検索制御により前記処理手段によって生成された映像信号および／または音声信号に基づき、選択している受信方向の受信可能性を判定する手段と、
前記判定によって受信可能性が所定の基準を満たすときに、選択されている受信方向を前記選択されたチャンネルについての前記受信アンテナの受信方向に決定する手段と、
前記決定された受信方向で前記記憶手段内の受信方向を更新する手段とを含む、放送受信装置。
【請求項３】
前記方向検索制御を行なう手段は、前記指令手段に対して、前記初期値への切換えの指示を行なわせ、その後前記初期値からいずれかの回転方向に所定の角度ずつ受信方向が変化するように順次切換えの指示を行なわせる、請求項２に記載の放送受信装置。
【請求項４】
前記方向検索制御を行なう手段は、前記指令手段に対して、前記初期値へ切換えの指示を行なわせ、その後前記初期値の両側の周辺の方向に向かって受信方向が変化するように所定個数だけ順次切換えの指示を行なわせ、その後いずれかの回転方向に所定の角度ずつ受信方向が変化するように順次切換えの指示を行なわせる、請求項２に記載の放送受信装置。
【請求項５】
前記制御部の各手段は、ユーザから高速オートスキャンの指令を受けたときに、前記各処理を行ない、ユーザから選局時の高速受信方向サーチの指令を受けたときに、前記各処理を行なう、請求項２記載の放送受信装置。
【請求項６】
前記制御部の各手段は、前記選択されたチャンネルがデジタル放送のチャンネルのときのみ前記各処理を行なう、請求項２記載の放送受信装置。
【請求項７】
前記制御部の各手段は、ユーザからデジタル放送のチャンネルのときのみ高速方向検索制御を行なうように指令を受けたときに、前記選択されたチャンネルがデジタル放送のチャンネルのときのみ前記各処理を行なう、請求項２記載の放送受信装置。
【請求項８】
請求項１〜７のいずれか１項に記載の放送受信装置を備えたテレビ。
【発明の詳細な説明】
【技術分野】
【０００１】
この発明は放送受信装置およびそれを備えたテレビに関し、特に指向性の切換えが可能なアンテナを使用する放送受信装置およびそれを備えたテレビに関する。
【背景技術】
【０００２】
テレビ放送には、ＶＨＦ（Very High Frequency）およびＵＨＦ（Ultra High Frequency）の周波数帯域が割当てられている。一般的に、テレビ放送の信号受信には八木アンテナが用いられる。
【０００３】
八木アンテナは、反射器、放射器および導波器で構成されており、反射器の働きにより導波器側へ強い指向性を有し、利得も大きいといった長所がある。
【０００４】
良好な受信ができるように、八木アンテナは、放送局の方向とその指向性を一致するように設置される。一般的には、家屋の屋根等に固定して設置されるので、一旦設置されてしまうと、その受信方向を変更することは容易ではない。
【０００５】
そのため、複数の放送局が分散して存在している場合には、その指向方方向にある放送局の放送信号しか受信できなかった。
【０００６】
そこで、受信方向を複数種類に切換えて、分散して存在する各放送局からの電波を受信できるスマートアンテナが考案されている。
【０００７】
このスマートアンテナは、複数のアンテナ素子で構成され、各アンテナ素子を適当な振幅および位相により励振することで受信方向を切換えることができる。
【０００８】
したがって、上述のスマートアンテナを用いることで、放送局が分散して存在している場合でも各放送局からの電波が受信可能となる。
【０００９】
特許文献１には、複数の八木アンテナに対して位相差給電を行なうことで、受信方向を変更できるアンテナが示されている。
【００１０】
また、特許文献２には、リモコンによるチャンネル選択によって、当該チャンネルに対応するようにアンテナの受信方向を調整するアンテナ切換え器が示されている。
【００１１】
ところで、スマートアンテナの受信方向の決定は一般に時間をするため、受信方向を効率よく決定する方法が提案されている。
【００１２】
たとえば、特許文献３には、アンテナの受信方向の選択を手動で行なう手動モード選択時に、メモリ内の受信チャンネルデータエリアから設定チャンネルに対応して記憶されているアンテナの方位を読出し、このアンテナ方位からの調整を可能とした受信機が示されている。これにより、設定チャンネルに対応してアンテナの方位が記憶されていれば、アンテナの受信方向を高速に決定することができる。
【特許文献１】特開平１１−３３０８４０号公報
【特許文献２】特開２００１−１６８６２７号公報
【特許文献３】特開平１１−２９８２２６号公報
【発明の開示】
【発明が解決しようとする課題】
【００１３】
ところで、各放送局から送信された放送信号は、通常、所定の場所に設置された幾つかの中継局で中継されて、各受信装置に送られる。したがって、チャンネルを切換えても、受信装置で受信する放送信号の到来方向が変化しないことが多い。
【００１４】
それにもかかわらず、特許文献３では、選択したチャンネルに対応してアンテナの方位が記憶されていなければ、つまり、過去に受信方向が決定されたことがなければ、選択チャンネル以外の、放送信号の到来方向が同一である別のチャンネル（たとえば１回前に選択したチャンネル）に対してアンテナの方位が記憶されていても、これを用いることができず、結局、この方位とは全く関係のない方位からアンテナの受信方向が検索されることになる。
【００１５】
そこで、この発明は、かかる問題を解決するためになされたものであり、その目的は、スマートアンテナの受信方向が過去に決定されたことのないチャンネルについても、スマートアンテナの受信方向を高速に決定することができる放送受信装置およびそれを備えたテレビを提供することである。
【課題を解決するための手段】
【００１６】
この発明のある局面に係る放送受信装置は、指向性の切換えが可能な受信アンテナに対して、受信方向の切換えを指示する指令手段と、受信アンテナを介して受信する複数のチャンネルを含む放送信号の中から、選択したチャンネルに対応する放送信号を抽出する選局手段と、選局手段から受けた放送信号から映像信号および音声信号を生成する信号処理手段と、受信方向を記憶する記憶手段と、受信アンテナの受信方向を決定する制御部を備え、制御部は、オートスキャン時にチャンネルを選択したときに、および／またはユーザからチャンネルの選択を受けたときに、記憶手段を参照して受信方向が記憶されているか否かを調べる手段と、記憶手段に受信方向が記憶されている場合に、指令手段に対して、記憶されている受信方向を初期値として受信方向の順次切換えの指示を行なわせる方向検索制御を行なう手段と、方向検索制御により処理手段によって生成された映像信号および／または音声信号に基づき、選択している受信方向の受信可能性を判定する手段と、判定によって受信可能性が所定の基準を満たすときに、選択されている受信方向を選択されたチャンネルについての受信アンテナの受信方向に決定する手段と、決定された受信方向で記憶手段内の受信方向を更新する手段とを含み、方向検索制御を行なう手段は、指令手段に対して、初期値へ切換えの指示を行なわせ、その後初期値の両側の周辺の方向に受信方向が変化するように順次切換えの指示を行なわせ、その後いずれかの回転方向に所定の角度ずつ受信方向が変化するように順次切換えの指示を行なわせ、制御部の各手段は、選択されたチャンネルがデジタル放送のチャンネルのときのみ各処理を行なう。
【００１７】
この発明の別の局面に係る放送受信装置は、指向性の切換えが可能な受信アンテナに対して、受信方向の切換えを指示する指令手段と、受信アンテナを介して受信する複数のチャンネルを含む放送信号の中から、選択したチャンネルに対応する放送信号を抽出する選局手段と、選局手段から受けた放送信号から映像信号および音声信号を生成する信号処理手段と、受信方向を記憶する記憶手段と、受信アンテナの受信方向を決定する制御部とを備え、制御部は、オートスキャン時にチャンネルを選択したときに、および／またはユーザからチャンネルの選択を受けたときに、記憶手段を参照して受信方向が記憶されているか否かを調べる手段と、記憶手段に受信方向が記憶されている場合に、指令手段に対して、記憶されている受信方向を初期値として受信方向の順次切換えの指示を行なわせる方向検索制御を行なう手段と、方向検索制御により処理手段によって生成された映像信号および／または音声信号に基づき、選択している受信方向の受信可能性を判定する手段と、判定によって受信可能性が所定の基準を満たすときに、選択されている受信方向を選択されたチャンネルについての受信アンテナの受信方向に決定する手段と、決定された受信方向で記憶手段内の受信方向を更新する手段とを含む。
【００１８】
好ましくは、方向検索制御を行なう手段は、指令手段に対して、初期値への切換えの指示を行なわせ、その後初期値からいずれかの回転方向に所定の角度ずつ受信方向が変化するように順次切換えの指示を行なわせる。
【００１９】
好ましくは、方向検索制御を行なう手段は、指令手段に対して、初期値へ切換えの指示を行なわせ、その後初期値の両側の周辺の方向に向かって受信方向が変化するように所定個数だけ順次切換えの指示を行なわせ、その後いずれかの回転方向に所定の角度ずつ受信方向が変化するように順次切換えの指示を行なわせる。
【００２０】
好ましくは、制御部の各手段は、ユーザから高速オートスキャンの指令を受けたときに、各処理を行ない、ユーザから選局時の高速受信方向サーチの指令を受けたときに、各処理を行なう。
【００２１】
好ましくは、制御部の各手段は、選択されたチャンネルがデジタル放送のチャンネルのときのみ各処理を行なう。
【００２２】
好ましくは、制御部の各手段は、ユーザからデジタル放送のチャンネルのときのみ高速方向検索制御を行なうように指令を受けたときに、選択されたチャンネルがデジタル放送のチャンネルのときのみ各処理を行なう。
【００２３】
この発明の別の局面に係るテレビは、上述のいずれかの放送受信装置を備える。
【発明の効果】
【００２４】
この発明によれば、スマートアンテナの指向性が過去に決定されたことのないチャンネルについても、スマートアンテナの指向性を高速に決定することができる。
【発明を実施するための最良の形態】
【００２５】
この発明の実施の形態について、図面を参照しながら詳細に説明する。なお、図中の同一または相当部分については、同一符号を付してその説明は繰返さない。
【００２６】
［実施の形態１］
（放送受信装置の構成）
図１は、この発明の実施の形態１に従う放送受信装置の概略構成図である。
【００２７】
図１を参照して、この発明の実施の形態１に従う放送受信装置１は、スマートアンテナ３０から放送信号を受信し、スマートアンテナ３０に対して受信方向切換信号を出力する。また、放送受信装置１は、テレビ４０に対して映像信号および音声信号を出力する。さらに、放送受信装置１は、リモコン４２から指令信号を受信する。
【００２８】
スマートアンテナ３０は、放送受信装置１から受信方向切換信号を受けて、各アンテナ素子に対する励振を変化させて指向性を切換える。
【００２９】
テレビ４０およびリモコン４２は、周知であるので詳細な説明は省略する。
【００３０】
放送受信装置１は、制御部１０と、チューナ１６と、デジタルデコーダ１８と、ＭＰＥＧデコーダ２２と、受信方向切換部２４と、リモコン受信部２６とからなる。
【００３１】
制御部１０は、プログラムを実行するＣＰＵ（Central Processing Unit）１０ａと、実行されるプログラム、プログラム実行中のデータ、およびプログラム実行結果のデータを記憶するメモリ１０ｂとからなる。
【００３２】
チューナ１６は、受信した放送信号の中から、制御部１０からの指令に応じて選択されたチャンネルに対応する放送信号を抽出して、デジタルデコーダ１８へ出力する。
【００３３】
デジタルデコーダ１８は、チューナ１６から放送信号を受けて、映像および音声の信号であるＭＰＥＧ信号に復号し、そのＭＰＥＧ信号をＭＰＥＧデコーダ２２へ出力する。
【００３４】
ここで、デジタルテレビ放送信号は、リード・ソロモン符号および畳み込み符号で符号化されて送信される。そのため、デジタルデコーダ１８は、上述の復号処理において誤り訂正ができる。この誤り訂正の処理過程において、デジタルデコーダ１８は、受信した放送信号の受信データ誤り率を演算し、その受信データ誤り率を制御部１０へ出力する。このとき、デジタルデコーダ１８は、受信した放送信号に含まれる所定のデータ数毎に誤り訂正を行なうので、受信開始から１フレーム（１／３０秒）以内で受信データ誤り率の演算ができる。
【００３５】
なお、デジタルテレビ放送には、日本のＩＳＤＢ−Ｔ（Integrated Services Digital Broadcasting for Terrestrial）方式の他に、米国のＡＴＳＣ（Advanced Television Systems Committee）方式およびヨーロッパのＤＶＢ−Ｔ（Digital Video Broadcasting for Terrestrial）がある。いずれの方式においても、放送信号は符号化されて送信されるため、誤り訂正が可能であり、その処理過程において受信データ誤り率が演算できる。したがって、この発明の実施の形態１におけるデジタルデコーダ１８は、上述のいずれの方式を用いてもよい。
【００３６】
アナログデコーダ２０は、チューナ１６から放送信号を受けて、映像および音声の信号へ復号した後に、デジタル化した映像音声信号をＭＰＥＧデコーダ２２へ出力する。また、アナログデコーダ２０は、水平同期信号の捕捉の可否を制御部１０へ出力する。
【００３７】
ここで、アナログテレビ放送信号には、走査線の水平走査および垂直走査を制御するために、水平同期信号および垂直同期信号が含まれている。アナログデコーダ２０は、映像信号の復号を行なうために、上述の水平同期信号および垂直同期信号を捕捉する必要がある。
【００３８】
なお、水平同期信号は、垂直同期信号に対して十分に周波数が高い。そのため、水平同期信号は、垂直同期信号に比較して、ノイズ等の影響を受けやすい。つまり、水平同期信号を捕捉できたか否かで受信状態を判断することができる。
【００３９】
水平同期信号を捕捉するにあたり、アナログデコーダ２０は、受信した放送信号に対して、雑音除去処理、周波数分離処理、同期信号分離処理および整形増幅処理等を行なう。それゆえ、受信開始から水平同期信号の捕捉までには、上述のデジタルデコーダ１８における受信データ誤り率の演算に比較して、多くの時間を要する。
【００４０】
なお、アナログテレビ放送は、日本や米国等のＮＴＳＣ（National System Committee）方式の他に、ドイツやイギリス等のＰＡＬ（Phase Alternation by Line）方式およびフランス等のＳＥＣＡＭ（Sequentiel Couleur a Memoire）方式があるが、いずれの方式においても放送信号に水平同期信号が含まれているため、水平同期信号の捕捉の可否により受信状態を判断できる。
【００４１】
したがって、この発明の実施の形態１におけるアナログデコーダ２０は、上述のいずれの方式を用いてもよい。
【００４２】
ＭＰＥＧデコーダ２２は、制御部１０からの指令に応じて選択した、デジタルデコーダ１８またはアナログデコーダ２０から受けた信号を映像信号および音声信号に復号してテレビ４０へ出力する。
【００４３】
ＭＰＥＧデコーダ２２は、さらにＯＳＤ（On Screen Display）２２ａを備える。
【００４４】
ＯＳＤ２２ａは、制御部１０からの指令に応じて、テレビ４０の画面上に情報を表示するための信号を生成する。
【００４５】
ＭＰＥＧデコーダ２２は、ＯＳＤ２２ａで信号が生成された場合には、復号した映像信号と、ＯＳＤ２２ａが生成した信号とを合成した後、合成した信号をテレビ４０へ出力する。
【００４６】
受信方向切換部２４は、制御部１０からの指令に応じて、受信方向切換信号をスマートアンテナ３０へ出力する。
【００４７】
リモコン受信部２６は、リモコン４２からの指令を受信して制御部１０へ出力する。ユーザは、所望の動作を行なわせるためリモコン４２を用いて、指令を送信する。
【００４８】
（受信方向について）
実施の形態１では、スマートアンテナ３０は、指向性を切換えることにより水平面に対して１６分割された各方向に受信方向を変更できるとして説明する。
【００４９】
図２は、この発明の実施の形態１に従うスマートアンテナの受信方向切換え図である。簡単化のため、図２に示すように時計回り（正の回転方向）に０，１，・・・，１５と各受信方向に番号付けを行なう。
【００５０】
（オートスキャンの動作）
まず、オートスキャンを実行して、放送に割当てられているチャンネルの中から視聴可能なチャンネルを取得する処理について説明する。
【００５１】
図３は、この発明の実施の形態１に従うオートスキャンを実行するプログラムのフローチャートである。
【００５２】
図３を参照して、制御部１０は、リモコン４２を通じてユーザからオートスキャン方法の選択を受ける（ステップＳ６０１）。
【００５３】
制御部１０は、通常のオートスキャン方法が選択された場合（ステップＳ６０２でＹＥＳの場合）には、後述する通常のオートスキャン処理の実行を制御する（ステップＳ６０３）。
【００５４】
また、制御部１０は、高速オートスキャン方法が選択された場合（ステップＳ６０２でＮＯの場合）には、後述する高速オートスキャン処理の実行を制御する（ステップＳ６０４）。
【００５５】
（通常のオートスキャン処理）
図４は、図３におけるステップＳ６０３の通常のオートスキャン処理を実行するプログラムのフローチャートである。
【００５６】
図４を参照して、制御部１０は、テレビ放送に割当てられているチャンネルの中から先頭のチャンネルを選択する（ステップＳ１０）。
【００５７】
次に、制御部１０は、受信方向番号が「０」である先頭の受信方向を選択する（ステップＳ１２）。
【００５８】
受信方向切換部２４は、受信方向番号「０」への切換信号をスマートアンテナ３０へ出力する。スマートアンテナ３０は、受信方向切換部２４から受信方向切換信号を受けて、各アンテナ素子に対する励振を変化させて指向性を切換える。
【００５９】
また、チューナ１６は、スマートアンテナ３０から受信した放送信号の中から、制御部１０からの指令に応じて選択された先頭のチャンネルに対応する放送信号を抽出する。チューナ１６は、選択しているチャンネルがデジタル放送のチャンネルの場合（ステップＳ１３においてＹＥＳの場合）には、抽出した放送信号をデジタルデコーダ１８へ出力し、選択しているチャンネルがアナログ放送のチャンネルの場合（ステップＳ１３においてＮＯの場合）には、抽出した放送信号をアナログデコーダ２０へ出力する。
【００６０】
選択しているチャンネルがデジタル放送のチャンネルの場合（ステップＳ１３においてＹＥＳの場合）に、デジタルデコーダ１８は、チューナ１６から放送信号を受けて、ＭＰＥＧ信号に復号する。また、デジタルデコーダ１８は、受信データ誤り率の演算を行い、その受信データ誤り率を制御部１０へ出力する。
【００６１】
選択しているチャンネルがアナログ放送のチャンネルの場合（ステップＳ１３においてＮＯの場合）に、アナログデコーダ２０は、チューナ１６から放送信号を受けて、映像および音声の信号へ復号した後に、デジタル化した映像音声信号をＭＰＥＧデコーダ２２へ出力する。また、アナログデコーダ２０は、水平同期信号の捕捉の可否を制御部１０へ出力する。
【００６２】
制御部１０は、選択されているチャンネルがデジタル放送のチャンネルの場合（ステップＳ１３においてＹＥＳの場合）には、受信可否を判断するため、受信データ誤り率が規定値（＝１０％）以下か否かを判断する（ステップＳ１４）。制御部１０は、受信データ誤り率が１０％以下であれば、受信可能と判断する。
【００６３】
制御部１０は、選択されているチャンネルがアナログ放送のチャンネルの場合（ステップＳ１３においてＮＯの場合）には、受信可否を判断するため、水平同期信号が捕捉できたか否かを判断する（ステップＳ１５）。制御部１０は、水平同期信号が捕捉できたときには、受信可能と判断する。
【００６４】
受信データ誤り率が規定値を超えている場合（ステップＳ１４においてＮＯの場合）または、水平同期信号が捕捉できなかった場合（ステップＳ１５においてＮＯの場合）には、制御部１０は、最後の受信方向が選択中か否かを判断する（ステップＳ１６）。すなわち、制御部１０は、図２に示すように受信方向「１５」を選択中か否かを判断する。
【００６５】
最後の受信方向が選択中でない場合（ステップＳ１６においてＮＯの場合）には、制御部１０は、次の受信方向番号の受信方向、すなわち、時計回り（正の回転方向）に＋２２．５度変化した受信方向を選択する（ステップＳ１８）。
【００６６】
以下、上述したステップＳ１３，Ｓ１４，Ｓ１５，Ｓ１６，Ｓ１８を、ステップＳ１４において受信データ誤り率が規定値以下となるか、ステップＳ１５において水平同期信号が捕捉できるか、またはステップＳ１６において最後の受信方向が選択中となるまで繰返す。
【００６７】
制御部１０は、受信データ誤り率が規定値以下の場合（ステップＳ１４においてＹＥＳの場合）、または水平同期信号が捕捉できる場合（ステップＳ１５においてＹＥＳの場合）には、受信可能と判断して、選択しているチャンネル番号をメモリ１０ｂに格納する（ステップＳ２０）。
【００６８】
最後の受信方向が選択中の場合（ステップＳ１６においてＹＥＳの場合）、またはステップＳ２０で選択しているチャンネル番号が格納された場合には、制御部１０は、最後のチャンネルが選択中か否かを判断する（ステップＳ２４）。
【００６９】
最後のチャンネルが選択中でない場合（ステップＳ２４においてＮＯの場合）には、制御部１０は、次のチャンネルを選択する（ステップＳ２６）。
【００７０】
以下、上述したステップＳ１１，Ｓ１３，Ｓ１４，Ｓ１５，Ｓ１６，Ｓ１８，Ｓ２０，Ｓ２４，Ｓ２６を、ステップＳ２４において最後のチャンネルが選択されるまで繰返す。
【００７１】
以上の処理により、放送に割当てられているチャンネルの中から視聴可能なチャンネルのチャンネル番号がメモリ１０ｂ内に取得され、自動割付けがなされる。
【００７２】
なお、メモリ１０ｂに格納された受信方向番号は、オートスキャン終了後に消去される。
【００７３】
（高速オートスキャン処理）
図５は、図３におけるステップＳ６０４の高速オートスキャン処理を実行するプログラムのフローチャートである。
【００７４】
図５を参照して、制御部１０は、テレビ放送に割当てられているチャンネルの中から先頭のチャンネルを選択する（ステップＳ１０８）。
【００７５】
次に、制御部１０は、メモリ１０ｂ内にチャンネル番号に対応した受信方向番号が格納され、かつ選択されているチャンネルがデジタル放送のチャンネルの場合（ステップＳ１０９でＹＥＳの場合）には、メモリ１０ｂに最後に格納された受信方向番号、すなわち、受信可能と最新に判断されたチャンネルに対する受信方向番号を読出し、その受信方向を選択する（ステップＳ１１０）。
【００７６】
一方、制御部１０は、メモリ１０ｂ内にチャンネル番号に対応して受信方向番号が格納されていない場合、または選択されたチャンネルがアナログ放送のチャンネルの場合（ステップＳ１０９でＮＯの場合）には、受信方向番号が「０」である先頭の受信方向を選択する（ステップＳ１１１）。
【００７７】
受信方向切換部２４は、選択した受信方向への切換信号をスマートアンテナ３０へ出力する。スマートアンテナ３０は、受信方向切換部２４から受信方向切換信号を受けて、各アンテナ素子に対する励振を変化させて指向性を切換える。
【００７８】
また、チューナ１６は、スマートアンテナ３０から受信した放送信号の中から、制御部１０からの指令に応じて選択された先頭のチャンネルに対応する放送信号を抽出する。チューナ１６は、選択しているチャンネルがデジタル放送のチャンネルの場合（ステップＳ１１３においてＹＥＳの場合）には、抽出した放送信号をデジタルデコーダ１８へ出力し、選択しているチャンネルがアナログ放送のチャンネルの場合（ステップＳ１１３においてＮＯの場合）には、抽出した放送信号をアナログデコーダ２０へ出力する。
【００７９】
選択しているチャンネルがデジタル放送のチャンネルの場合（ステップＳ１１３においてＹＥＳの場合）に、デジタルデコーダ１８は、チューナ１６から放送信号を受けて、ＭＰＥＧ信号に復号する。また、デジタルデコーダ１８は、受信データ誤り率の演算を行い、その受信データ誤り率を制御部１０へ出力する。
【００８０】
選択しているチャンネルがアナログ放送のチャンネルの場合（ステップＳ１１３においてＮＯの場合）に、アナログデコーダ２０は、チューナ１６から放送信号を受けて、映像および音声の信号へ復号した後に、デジタル化した映像音声信号をＭＰＥＧデコーダ２２へ出力する。また、アナログデコーダ２０は、水平同期信号の捕捉の可否を制御部１０へ出力する。
【００８１】
制御部１０は、選択されているチャンネルがデジタル放送のチャンネルの場合（ステップＳ１１３においてＹＥＳの場合）には、受信可否を判断するため、受信データ誤り率が規定値（＝１０％）以下か否かを判断する（ステップＳ１１４）。制御部１０は、受信データ誤り率が１０％以下であれば、受信可能と判断する。
【００８２】
制御部１０は、選択されているチャンネルがアナログ放送のチャンネルの場合（ステップＳ１１３においてＮＯの場合）には、受信可否を判断するため、水平同期信号が捕捉できたか否かを判断する（ステップＳ１１５）。制御部１０は、水平同期信号が捕捉できたときには、受信可能と判断する。
【００８３】
受信データ誤り率が規定値を超えている場合（ステップＳ１１４においてＮＯの場合）または、水平同期信号が捕捉できなかった場合（ステップＳ１１５においてＮＯの場合）には、制御部１０は、最後の受信方向が選択中か否かを判断する（ステップＳ１１６）。すなわち、制御部１０は、図２に示すように受信方向「１５」を選択中か否かを判断する。
【００８４】
最後の受信方向が選択中でない場合（ステップＳ１１６においてＮＯの場合）には、制御部１０は、次の受信方向番号の受信方向、すなわち、時計回り（正の回転方向）に＋２２．５度変化した受信方向を選択する（ステップＳ１１８）。
【００８５】
以下、上述したステップＳ１１３，Ｓ１１４，Ｓ１１５，Ｓ１１６，Ｓ１１８を、ステップＳ１１４において受信データ誤り率が規定値以下となるか、ステップＳ１１５において水平同期信号が捕捉できるか、またはステップＳ１１６において最後の受信方向が選択中となるまで繰返す。
【００８６】
制御部１０は、受信データ誤り率が規定値以下の場合（ステップＳ１１４においてＹＥＳの場合）、または水平同期信号が捕捉できる場合（ステップＳ１１５においてＹＥＳの場合）には、受信可能と判断して、選択しているチャンネル番号と、そのチャンネル番号に対応させて選択している受信方向番号をメモリ１０ｂに格納する（ステップＳ１２０）。
【００８７】
最後の受信方向が選択中の場合（ステップＳ１１６においてＹＥＳの場合）、またはステップＳ１２０で選択しているチャンネル番号と選択している受信方向番号が格納された場合には、制御部１０は、最後のチャンネルが選択中か否かを判断する（ステップＳ１２４）。
【００８８】
最後のチャンネルが選択中でない場合（ステップＳ１２４においてＮＯの場合）には、制御部１０は、次のチャンネルを選択する（ステップＳ１２６）。
【００８９】
以下、上述したステップＳ１０９，Ｓ１１０、Ｓ１１１，Ｓ１１３，Ｓ１１４，Ｓ１１５，Ｓ１１６，Ｓ１１８，Ｓ１２０，Ｓ１２４，Ｓ１２６を、ステップＳ１２４において最後のチャンネルが選択中となるまで繰返す。
【００９０】
以上の処理により、放送に割当てられているチャンネルの中から視聴可能なチャンネルのチャンネル番号がメモリ１０ｂ内に取得され、自動割付けがなされる。
【００９１】
なお、メモリ１０ｂに格納された受信方向番号は、オートスキャン終了後に消去される。
【００９２】
（選局時の受信方向サーチ）
次に、ユーザがチャンネルを選択したとき（選局時）に、選択したチャンネルの受信方向を取得する処理について説明する。
【００９３】
図６は、この発明の実施の形態１に従う選局時の受信方向サーチを実行するプログラムのフローチャートである。
【００９４】
図６を参照して、制御部１０は、リモコン４２を通じてユーザから選局時の受信方向サーチ方法の選択を受ける（ステップＳ７０１）。
【００９５】
制御部１０は、通常の受信方向サーチ方法が選択された場合（ステップＳ７０２でＹＥＳの場合）には、後述する通常の受信方向サーチ処理の実行を制御する（ステップＳ７０３）。
【００９６】
また、制御部１０は、高速受信方向サーチ方法が選択された場合（ステップＳ７０２でＮＯの場合）には、後述する高速受信方向サーチ処理の実行を制御する（ステップＳ７０４）。
【００９７】
（選局時の通常の受信方向サーチ）
図７は、この発明の実施の形態１に従う選局時の通常の受信方向サーチのプログラムのフローチャートである。
【００９８】
図７を参照して、制御部１０は、リモコン４２を通じてユーザから選局指令、すなわちチャンネルの選択を受けると（ステップＳ２１０でＹＥＳ）、選択されたチャンネルをチューナ１６に通知する。
【００９９】
次に、制御部１０は、受信方向番号が「０」である先頭の受信方向を選択する（ステップＳ２１２）。
【０１００】
受信方向切換部２４は、受信方向番号「０」への切換信号をスマートアンテナ３０へ出力する。スマートアンテナ３０は、受信方向切換部２４から受信方向切換信号を受けて、各アンテナ素子に対する励振を変化させて指向性を切換える。
【０１０１】
また、チューナ１６は、スマートアンテナ３０から受信した放送信号の中から、制御部１０からの指令に応じて選択された先頭のチャンネルに対応する放送信号を抽出する。チューナ１６は、選択しているチャンネルがデジタル放送のチャンネルの場合（ステップＳ２１３においてＹＥＳの場合）には、抽出した放送信号をデジタルデコーダ１８へ出力し、選択しているチャンネルがアナログ放送のチャンネルの場合（ステップＳ２１３においてＮＯの場合）には、抽出した放送信号をアナログデコーダ２０へ出力する。
【０１０２】
選択しているチャンネルがデジタル放送のチャンネルの場合（ステップＳ２１３においてＹＥＳの場合）に、デジタルデコーダ１８は、チューナ１６から放送信号を受けて、ＭＰＥＧ信号に復号する。また、デジタルデコーダ１８は、受信データ誤り率の演算を行い、その受信データ誤り率を制御部１０へ出力する。
【０１０３】
選択しているチャンネルがアナログ放送のチャンネルの場合（ステップＳ２１３においてＮＯの場合）に、アナログデコーダ２０は、チューナ１６から放送信号を受けて、映像および音声の信号へ復号した後に、デジタル化した映像音声信号をＭＰＥＧデコーダ２２へ出力する。また、アナログデコーダ２０は、水平同期信号の捕捉の可否を制御部１０へ出力する。
【０１０４】
制御部１０は、選択されているチャンネルがデジタル放送のチャンネルの場合（ステップＳ２１３においてＹＥＳの場合）には、受信可否を判断するため、受信データ誤り率が規定値（＝１０％）以下か否かを判断する（ステップＳ２１４）。制御部１０は、受信データ誤り率が１０％以下であれば、受信可能と判断する。
【０１０５】
制御部１０は、選択されているチャンネルがアナログ放送のチャンネルの場合（ステップＳ２１３においてＮＯの場合）には、受信可否を判断するため、水平同期信号が捕捉できたか否かを判断する（ステップＳ２１５）。制御部１０は、水平同期信号が捕捉できたときには、受信可能と判断する。
【０１０６】
受信データ誤り率が規定値を超えている場合（ステップＳ２１４においてＮＯの場合）または、水平同期信号が捕捉できなかった場合（ステップＳ２１５においてＮＯの場合）には、制御部１０は、最後の受信方向が選択中か否かを判断する（ステップＳ２１６）。すなわち、制御部１０は、図２に示すように受信方向「１５」を選択中か否かを判断する。
【０１０７】
最後の受信方向が選択中でない場合（ステップＳ２１６においてＮＯの場合）には、制御部１０は、次の受信方向番号の受信方向、すなわち、時計回り（正の回転方向）に＋２２．５度変化した受信方向を選択する（ステップＳ２１８）。
【０１０８】
以下、上述したステップＳ２１３，Ｓ２１４，Ｓ２１５，Ｓ２１６，Ｓ２１８を、ステップＳ２１４において受信データ誤り率が規定値以下となるか、ステップＳ２１５において水平同期信号が捕捉できるか、またはステップＳ２１６において最後の受信方向が選択中となるまで繰返す。
【０１０９】
制御部１０は、最後の受信方向が選択中となった場合（ステップＳ２１６においてＹＥＳの場合）、受信不可能と判断して、ＯＳＤ２２ａを指示して、選択しているチャンネルの受信方向が決定できなかった旨を表示させる（ステップＳ２１９）。
【０１１０】
制御部１０は、受信データ誤り率が規定値以下の場合（ステップＳ２１４においてＹＥＳの場合）、または水平同期信号が捕捉できる場合（ステップＳ２１５においてＹＥＳの場合）には、受信可能と判断して、選択している受信方向を選択しているチャンネルの受信方向として決定する（ステップＳ２２０）。
【０１１１】
以下、ステップＳ２２２においてリモコン４２を通じて終了指令が選択されるまで、ユーザから選局指令がある（Ｓ２１０）ごとに、上述したステップＳ２１２〜Ｓ２２０の処理を繰返す。
【０１１２】
以上の処理により、チャンネルが選択されるごとに、受信方向番号が「０」の受信方向から時計回りに順次サーチされて、条件を満たす受信方向が選択されたチャンネルの受信方向として決定される。
【０１１３】
（選局時の高速受信方向サーチ）
図８は、この発明の実施の形態１に従う選局時の高速受信方向サーチのプログラムのフローチャートである。
【０１１４】
図８を参照して、制御部１０は、リモコン４２を通じてユーザから選局指令、すなわちチャンネルの選択を受けると（ステップＳ３０９でＹＥＳ）、選択されたチャンネルをチューナ１６に通知する。
【０１１５】
次に、制御部１０は、メモリ１０ｂ内に受信方向番号が格納されており、かつ選択されたチャンネルがデジタル放送のチャンネルの場合（ステップＳ３１０でＹＥＳの場合）には、メモリ１０ｂに最後に格納された受信方向番号、すなわち、受信可能と最新に判断されたチャンネルに対する受信方向番号を読出し、その受信方向を選択する（ステップＳ３１０）。
【０１１６】
一方、制御部１０は、メモリ１０ｂ内に受信方向番号が格納されていない場合、または選択されたチャンネルがアナログ放送のチャンネルの場合（ステップＳ３１０でＮＯの場合）には、受信方向番号が「０」である先頭の受信方向を選択する（ステップＳ３１１）。
【０１１７】
受信方向切換部２４は、選択した受信方向への切換信号をスマートアンテナ３０へ出力する。スマートアンテナ３０は、受信方向切換部２４から受信方向切換信号を受けて、各アンテナ素子に対する励振を変化させて指向性を切換える。
【０１１８】
また、チューナ１６は、スマートアンテナ３０から受信した放送信号の中から、制御部１０からの指令に応じて選択された先頭のチャンネルに対応する放送信号を抽出する。チューナ１６は、選択しているチャンネルがデジタル放送のチャンネルの場合（ステップＳ３１３においてＹＥＳの場合）には、抽出した放送信号をデジタルデコーダ１８へ出力し、選択しているチャンネルがアナログ放送のチャンネルの場合（ステップＳ３１３においてＮＯの場合）には、抽出した放送信号をアナログデコーダ２０へ出力する。
【０１１９】
選択しているチャンネルがデジタル放送のチャンネルの場合（ステップＳ３１３においてＹＥＳの場合）に、デジタルデコーダ１８は、チューナ１６から放送信号を受けて、ＭＰＥＧ信号に復号する。また、デジタルデコーダ１８は、受信データ誤り率の演算を行い、その受信データ誤り率を制御部１０へ出力する。
【０１２０】
選択しているチャンネルがアナログ放送のチャンネルの場合（ステップＳ３１３においてＮＯの場合）に、アナログデコーダ２０は、チューナ１６から放送信号を受けて、映像および音声の信号へ復号した後に、デジタル化した映像音声信号をＭＰＥＧデコーダ２２へ出力する。また、アナログデコーダ２０は、水平同期信号の捕捉の可否を制御部１０へ出力する。
【０１２１】
制御部１０は、選択されているチャンネルがデジタル放送のチャンネルの場合（ステップＳ３１３においてＹＥＳの場合）には、受信可否を判断するため、受信データ誤り率が規定値（＝１０％）以下か否かを判断する（ステップＳ３１４）。制御部１０は、データ誤り率が１０％以下であれば、受信可能と判断する。
【０１２２】
制御部１０は、選択されているチャンネルがアナログ放送のチャンネルの場合（ステップＳ３１３においてＮＯの場合）には、受信可否を判断するため、水平同期信号が捕捉できたか否かを判断する（ステップＳ３１５）。制御部１０は、水平同期信号が捕捉できたときには、受信可能と判断する。
【０１２３】
受信データ誤り率が規定値を超えている場合（ステップＳ３１４においてＮＯの場合）または、水平同期信号が捕捉できなかった場合（ステップＳ３１５においてＮＯの場合）には、制御部１０は、最後の受信方向が選択中か否かを判断する（ステップＳ３１６）。すなわち、制御部１０は、図２に示すように受信方向「１５」を選択中か否かを判断する。
【０１２４】
最後の受信方向が選択中でない場合（ステップＳ３１６においてＮＯの場合）には、制御部１０は、次の受信方向番号の受信方向、すなわち、時計回り（正の回転方向）に＋２２．５度変化した受信方向を選択する（ステップＳ３１８）。
【０１２５】
以下、上述したステップＳ３１３，Ｓ３１４，Ｓ３１５，Ｓ３１６，Ｓ３１８を、ステップＳ３１４において受信データ誤り率が規定値以下となるか、ステップＳ３１５において水平同期信号が捕捉できるか、またはステップＳ３１６において最後の受信方向が選択中となるまで繰返す。
【０１２６】
制御部１０は、最後の受信方向が選択中となった場合（ステップＳ３１６においてＹＥＳの場合）、受信不可能と判断して、ＯＳＤ２２ａを指示して、選択しているチャンネルの受信方向が決定できなかった旨を表示させる（ステップＳ３１９）。
【０１２７】
制御部１０は、受信データ誤り率が規定値以下の場合（ステップＳ３１４においてＹＥＳの場合）、または水平同期信号が捕捉できる場合（ステップＳ３１５においてＹＥＳの場合）には、受信可能と判断して、選択している受信方向を選択しているチャンネルの受信方向として決定する（ステップＳ３２０）。
【０１２８】
制御部１０は、決定した受信方向の受信方向番号をメモリ１０ｂに格納する（ステップＳ３２１）。
【０１２９】
以下、ステップＳ３２２においてリモコン４２を通じて終了指令が選択されるまで、ユーザから選局指令がある（ステップＳ３０９）ごとに、上述したステップＳ３１０〜Ｓ３２０１処理を繰返す。
【０１３０】
以上の処理により、チャンネルが選択されるごとに、以前にサーチしたチャンネルの受信方向が決定されており、選択されているチャンネルがデジタル放送のチャンネルの場合には、最新に決定されたチャンネルの受信方向から時計回りに順次サーチされ、以前にチャンネルの受信方向が決定されておらず、または選択されているチャンネルがアナログ放送のチャンネルの場合には、受信方向番号が「０」の受信方向から時計回りに順次サーチされて、条件を満たす受信方向が選択されたチャンネルの受信方向として決定される。
【０１３１】
［実施の形態２］
実施の形態２に係る放送受信装置は、実施の形態１とは別の高速オートスキャン処理および選局時の高速受信方向サーチを行なう。
【０１３２】
（高速オートスキャン処理）
実施の形態２では、図３におけるステップＳ６０４の実施の形態１とは別の高速オートスキャン処理を実行する。
【０１３３】
図９は、この発明の実施の形態２に従う高速オートスキャン処理を実行するプログラムのフローチャートである。
【０１３４】
図９を参照して、制御部１０は、テレビ放送に割当てられているチャンネルの中から先頭のチャンネルを選択する（ステップＳ４０８）。
【０１３５】
次に、制御部１０は、メモリ１０ｂ内に受信方向番号が格納され、かつ選択されているチャンネルがデジタル放送のチャンネルの場合（ステップＳ４０９でＹＥＳの場合）には、メモリ１０ｂに最後に格納された受信方向番号、すなわち、受信可能と最新に判断されたチャンネルに対する受信方向番号を読出し、その受信方向を最初の受信方向として選択する（ステップＳ４１０）。
【０１３６】
一方、制御部１０は、メモリ１０ｂ内に受信方向番号が格納されていない場合、または選択されたチャンネルがアナログ放送のチャンネルの場合（ステップＳ４０９でＮＯの場合）には、受信方向番号が「０」である先頭の受信方向を最初の受信方向として選択する（ステップＳ４１１）。
【０１３７】
制御部１０は、受信方向の選択順序リストを作成する（ステップＳ４１２）。
【０１３８】
図１０（ａ）は、メモリ１０ｂ内に受信方向番号が格納されていない場合、または選択されているチャンネルがアナログ放送のチャンネルの場合の受信方向の選択順序リストの例を示す図である。
【０１３９】
図１０（ａ）を参照して、最初に選択される受信方向は、受信方向番号が「０」の受信方向となる。２番目以降に選択される受信方向は、受信方向番号が「０」の受信方向から時計回り（正の回転方向）に＋２２．５度ずつ順次変化した受信方向となる。
【０１４０】
図１０（ｂ）は、メモリ１０ｂ内にチャンネル番号に対応した受信方向番号が格納され、かつ選択されているチャンネルがデジタル放送のチャンネルの場合の受信方向の選択順序リストの例を示す図である。
【０１４１】
図１０（ｂ）を参照して、最初に選択される受信方向は、受信方向番号が「ｎ」の受信方向となる。ここで、「ｎ」は、メモリ１０ｂに最後に格納された受信方向番号（初期値）である。２番目に選択される受信方向は、受信方向番号が「（ｎ−１）ｍｏｄ１６」の受信方向となる。この受信方向は、受信方向番号が「ｎ」の受信方向の半時計回りの周辺の方向である。ここで、「Ａｍｏｄ１６」とは、Ａを１６で除算したときの剰余を表わす。３番目に選択される受信方向は、受信方向番号が「（ｎ＋１）ｍｏｄ１６」の受信方向となる。この受信方向は、受信方向番号が「ｎ」の受信方向の時計回りの周辺の方向である。４番目に選択される受信方向は、受信方向番号が「（ｎ−２）ｍｏｄ１６」の受信方向となる。この受信方向は、受信方向番号が「ｎ」の受信方向の半時計回りの周辺の方向である。５番目に選択される受信方向は、受信方向番号が「（ｎ＋２）ｍｏｄ１６」の受信方向となる。この受信方向は、受信方向番号が「ｎ」の受信方向の時計回りの周辺の方向である。６番目以降に選択される受信方向は、受信方向番号が「（ｎ＋２）ｍｏｄ１６」の受信方向から時計回り（正の回転方向）に＋２２．５度ずつ順次変化した受信方向となる。
【０１４２】
以上の選択順序リストによって、まず初期値へ切換え、その後初期値の両側の周辺の方向に向かって受信方向が変化するように所定個数だけ順次切換え、その後いずれかの回転方向に所定の角度ずつ受信方向が変化するように順次切換えが行なわれる。
【０１４３】
図１１は、図１０（ｂ）において、ｎが「７」のときの受信方向の選択順序を表わした図である。
【０１４４】
図１１を参照して、ｎが「７」のときには、最初に受信方向番号が「７」の受信方向が選択される。次に、「（ｎ−１）ｍｏｄ１６」＝「６」より、２番目の受信方向番号が「６」の受信方向が選択される。次に、「（ｎ＋１）ｍｏｄ１６」＝「８」より、３番目の受信方向番号が「８」の受信方向が選択される。次に、「（ｎ−２）ｍｏｄ１６」＝「５」より、４番目の受信方向番号が「５」の受信方向が選択される。次に、「（ｎ＋２）ｍｏｄ１６」＝「９」より、５番目の受信方向番号が「９」の受信方向が選択される。次に、「（ｎ＋３）ｍｏｄ１６」＝「１０」より、６番目の受信方向番号が「１０」の受信方向が選択される。以降、受信方向番号が「１１」、「１２」、「１３」、「１４」、「１５」、「０」、「１」、「２」、「３」、「４」の受信方向が順次選択される。
【０１４５】
再び、図９を参照して、受信方向切換部２４は、選択した受信方向への切換信号をスマートアンテナ３０へ出力する。スマートアンテナ３０は、受信方向切換部２４から受信方向切換信号を受けて、各アンテナ素子に対する励振を変化させて指向性を切換える。
【０１４６】
また、チューナ１６は、スマートアンテナ３０から受信した放送信号の中から、制御部１０からの指令に応じて選択された先頭のチャンネルに対応する放送信号を抽出する。チューナ１６は、選択しているチャンネルがデジタル放送のチャンネルの場合（ステップＳ４１３においてＹＥＳの場合）には、抽出した放送信号をデジタルデコーダ１８へ出力し、選択しているチャンネルがアナログ放送のチャンネルの場合（ステップＳ４１３においてＮＯの場合）には、抽出した放送信号をアナログデコーダ２０へ出力する。
【０１４７】
選択しているチャンネルがデジタル放送のチャンネルの場合（ステップＳ４１３においてＹＥＳの場合）に、デジタルデコーダ１８は、チューナ１６から放送信号を受けて、ＭＰＥＧ信号に復号する。また、デジタルデコーダ１８は、受信データ誤り率の演算を行い、その受信データ誤り率を制御部１０へ出力する。
【０１４８】
選択しているチャンネルがアナログ放送のチャンネルの場合（ステップＳ４１３においてＮＯの場合）に、アナログデコーダ２０は、チューナ１６から放送信号を受けて、映像および音声の信号へ復号した後に、デジタル化した映像音声信号をＭＰＥＧデコーダ２２へ出力する。また、アナログデコーダ２０は、水平同期信号の捕捉の可否を制御部１０へ出力する。
【０１４９】
制御部１０は、選択されているチャンネルがデジタル放送のチャンネルの場合（ステップＳ４１３においてＹＥＳの場合）には、受信可否を判断するため、受信データ誤り率が規定値（＝１０％）以下か否かを判断する（ステップＳ４１４）。制御部１０は、受信データ誤り率が１０％以下であれば、受信可能と判断する。
【０１５０】
制御部１０は、選択されているチャンネルがアナログ放送のチャンネルの場合（ステップＳ４１３においてＮＯの場合）には、受信可否を判断するため、水平同期信号が捕捉できたか否かを判断する（ステップＳ４１５）。制御部１０は、水平同期信号が捕捉できたときには、受信可能と判断する。
【０１５１】
受信データ誤り率が規定値を超えている場合（ステップＳ４１４においてＮＯの場合）または、水平同期信号が捕捉できなかった場合（ステップＳ４１５においてＮＯの場合）には、制御部１０は、最後の受信方向が選択中か否かを判断する（ステップＳ４１６）。すなわち、制御部１０は、図２に示すように受信方向「１５」を選択中か否かを判断する。
【０１５２】
最後の受信方向が選択中でない場合（ステップＳ４１６においてＮＯの場合）には、制御部１０は、ステップＳ４１２で作成された受信方向の選択順序リストにしたがって、次の受信方向を選択する（ステップＳ４１８）。
【０１５３】
以下、上述したステップＳ４１３，Ｓ４１４，Ｓ４１５，Ｓ４１６，Ｓ４１８を、ステップＳ４１４において受信データ誤り率が規定値以下となるか、ステップＳ４１５において水平同期信号が捕捉できるか、またはステップＳ４１６において最後の受信方向が選択中となるまで繰返す。
【０１５４】
制御部１０は、受信データ誤り率が規定値以下の場合（ステップＳ４１４においてＹＥＳの場合）、または水平同期信号が捕捉できる場合（ステップＳ４１５においてＹＥＳの場合）には、受信可能と判断して、選択しているチャンネル番号と、そのチャンネル番号に対応させて選択している受信方向番号をメモリ１０ｂに格納する（ステップＳ４２０）。
【０１５５】
最後の受信方向が選択中の場合（ステップＳ４１６においてＹＥＳの場合）、またはステップＳ４２０で選択しているチャンネル番号と選択している受信方向番号が格納された場合には、制御部１０は、最後のチャンネルが選択中か否かを判断する（ステップＳ４２４）。
【０１５６】
最後のチャンネルが選択中でない場合（ステップＳ４２４においてＮＯの場合）には、制御部１０は、次のチャンネルを選択する（ステップＳ４２６）。
【０１５７】
以下、上述したステップＳ４０９，Ｓ４１０、Ｓ４１１，Ｓ４１２，Ｓ４１３，Ｓ４１４，Ｓ４１５，Ｓ４１６，Ｓ４１８，Ｓ４２０，Ｓ４２４，Ｓ４２６を、ステップＳ４２４において最後のチャンネルが選択中となるまで繰返す。
【０１５８】
以上の処理により、放送に割当てられているチャンネルの中から視聴可能なチャンネルのチャンネル番号がメモリ１０ｂ内に取得され、自動割付けがなされる。
【０１５９】
（選局時の高速受信方向サーチ）
実施の形態２では、図６におけるステップＳ７０４の実施の形態１とは別の選局時の高速受信方向サーチ処理を実行する。
【０１６０】
図１２は、この発明の実施の形態２に従う選局時の高速受信方向サーチのプログラムのフローチャートである。
【０１６１】
図１２を参照して、制御部１０は、リモコン４２を通じてユーザから選局指令、すなわちチャンネルの選択を受けると（ステップＳ５０８でＹＥＳ）、選択されたチャンネルをチューナ１６に通知する。
【０１６２】
次に、制御部１０は、メモリ１０ｂ内に受信方向番号が格納されており、かつ選択されたチャンネルがデジタル放送のチャンネルの場合（ステップＳ５０９でＹＥＳの場合）には、メモリ１０ｂに最後に格納された受信方向番号、すなわち、受信可能と最新に判断されたチャンネルに対する受信方向番号を読出し、その受信方向を選択する（ステップＳ５１０）。
【０１６３】
一方、制御部１０は、メモリ１０ｂ内に受信方向番号が格納されていない場合、または選択されたチャンネルがアナログ放送のチャンネルの場合（ステップＳ５０９でＮＯの場合）には、受信方向番号が「０」である先頭の受信方向を選択する（ステップＳ５１１）。
【０１６４】
制御部１０は、図９のステップＳ４１２と同様にして受信方向の選択順序リストを作成する（ステップＳ５１２）。
【０１６５】
受信方向切換部２４は、選択した受信方向への切換信号をスマートアンテナ３０へ出力する。スマートアンテナ３０は、受信方向切換部２４から受信方向切換信号を受けて、各アンテナ素子に対する励振を変化させて指向性を切換える。
【０１６６】
また、チューナ１６は、スマートアンテナ３０から受信した放送信号の中から、制御部１０からの指令に応じて選択された先頭のチャンネルに対応する放送信号を抽出する。チューナ１６は、選択しているチャンネルがデジタル放送のチャンネルの場合（ステップＳ５１３においてＹＥＳの場合）には、抽出した放送信号をデジタルデコーダ１８へ出力し、選択しているチャンネルがアナログ放送のチャンネルの場合（ステップＳ５１３においてＮＯの場合）には、抽出した放送信号をアナログデコーダ２０へ出力する。
【０１６７】
選択しているチャンネルがデジタル放送のチャンネルの場合（ステップＳ５１３においてＹＥＳの場合）に、デジタルデコーダ１８は、チューナ１６から放送信号を受けて、ＭＰＥＧ信号に復号する。また、デジタルデコーダ１８は、受信データ誤り率の演算を行い、その受信データ誤り率を制御部１０へ出力する。
【０１６８】
選択しているチャンネルがアナログ放送のチャンネルの場合（ステップＳ５１３においてＮＯの場合）に、アナログデコーダ２０は、チューナ１６から放送信号を受けて、映像および音声の信号へ復号した後に、デジタル化した映像音声信号をＭＰＥＧデコーダ２２へ出力する。また、アナログデコーダ２０は、水平同期信号の捕捉の可否を制御部１０へ出力する。
【０１６９】
制御部１０は、選択されているチャンネルがデジタル放送のチャンネルの場合（ステップＳ５１３においてＹＥＳの場合）には、受信可否を判断するため、受信データ誤り率が規定値（＝１０％）以下か否かを判断する（ステップＳ５１４）。制御部１０は、受信データ誤り率が１０％以下であれば、受信可能と判断する。
【０１７０】
制御部１０は、選択されているチャンネルがアナログ放送のチャンネルの場合（ステップＳ５１３においてＮＯの場合）には、受信可否を判断するため、水平同期信号が捕捉できたか否かを判断する（ステップＳ５１５）。制御部１０は、水平同期信号が捕捉できたときには、受信可能と判断する。
【０１７１】
受信データ誤り率が規定値を超えている場合（ステップＳ５１４においてＮＯの場合）または、水平同期信号が捕捉できなかった場合（ステップＳ５１５においてＮＯの場合）には、制御部１０は、最後の受信方向が選択中か否かを判断する（ステップＳ５１６）。すなわち、制御部１０は、図２に示すように受信方向「１５」を選択中か否かを判断する。
【０１７２】
最後の受信方向が選択中でない場合（ステップＳ５１６においてＮＯの場合）には、制御部１０は、ステップＳ５１２で作成された受信方向の選択順序リストにしたがって、次の受信方向を選択する（ステップＳ５１８）。
【０１７３】
以下、上述したステップＳ５１３，Ｓ５１４，Ｓ５１５，Ｓ５１６，Ｓ５１８を、ステップＳ５１４において受信データ誤り率が規定値以下となるか、ステップＳ５１５において水平同期信号が捕捉できるか、またはステップＳ５１６において最後の受信方向が選択中となるまで繰返す。
【０１７４】
制御部１０は、最後の受信方向が選択中となった場合（ステップＳ５１６においてＹＥＳの場合）、受信不可能と判断して、ＯＳＤ２２ａを指示して、選択しているチャンネルの受信方向が決定できなかった旨を表示させる（ステップＳ５１９）。
【０１７５】
制御部１０は、受信データ誤り率が規定値以下の場合（ステップＳ５１４においてＹＥＳの場合）、または水平同期信号が捕捉できる場合（ステップＳ５１５においてＹＥＳの場合）には、受信可能と判断して、選択している受信方向を選択しているチャンネルの受信方向として決定する（ステップＳ５２０）。
【０１７６】
制御部１０は、決定した受信方向の受信方向番号をメモリ１０ｂに格納する（ステップＳ５２１）。
【０１７７】
以下、ステップＳ５２２においてリモコン４２を通じて終了指令が選択されるまで、ユーザから選局指令がある（ステップＳ５０８）ごとに、上述したステップＳ５０９〜Ｓ５２１の処理を繰返す。
【０１７８】
以上の処理により、チャンネルが選択されるごとに、以前にサーチしたチャンネルの受信方向が決定されており、選択されているチャンネルがデジタル放送のチャンネルの場合には、最新に決定されたチャンネルの受信方向、その受信方向の両側の周辺の方向、その後時計回りに順次サーチされ、以前にチャンネルの受信方向が決定されておらず、または選択されているチャンネルがアナログ放送のチャンネルの場合には、受信方向番号が「０」の受信方向から時計回りに順次サーチされて、条件を満たす受信方向が選択されたチャンネルの受信方向として決定される。
【０１７９】
（変形例）
本発明は、上記の実施形態に限定されるものではなく、本発明には、たとえば以下のような変気例も含まれる。
（１）  高速オートスキャン処理および／または選局時の受信方向サーチ処理は、たとえば、以下のようなものであってもよい。
【０１８０】
チャンネルが選択されるごとに、以前にサーチしたチャンネルの受信方向が決定されており、選択されているチャンネルがデジタル放送のチャンネルの場合には、最新に決定されたチャンネルの受信方向、その受信方向のそれぞれ２つの周辺の方向、その後時計回りに順次サーチされ、以前にサーチしたチャンネルの受信方向が決定されており、選択されているチャンネルがアナログ放送のチャンネルの場合には、最新に決定されたチャンネルの受信方向、その受信方向の両側のそれぞれ１つの周辺の方向、その後時計回りに順次サーチされ、以前にチャンネルの受信方向が決定されていない場合には、受信方向番号が「０」の受信方向から時計回りに順次サーチされて、条件を満たす受信方向が選択されたチャンネルの受信方向として決定されるものとしてもよい。
【０１８１】
図１３（ａ）は、メモリ１０ｂ内にチャンネル番号に対応した受信方向番号が格納されていない場合の受信方向の選択順序リストの例を示す図である。
【０１８２】
図１３（ａ）は、図１０（ａ）と同様であり、最初に選択される受信方向は、受信方向番号が「０」の受信方向となる。２番目以降に選択される受信方向は、受信方向番号が「０」の受信方向から時計回り（正の回転方向）に＋２２．５度ずつ順次変化した受信方向となる。
【０１８３】
図１３（ｂ）は、メモリ１０ｂ内に受信方向番号が格納され、かつ選択されているチャンネルがデジタル放送のチャンネルの場合の受信方向の選択順序リストの例を示す図である。
【０１８４】
図１３（ｂ）は、図１０（ｂ）と同様であり、最初に選択される受信方向は、受信方向番号が「ｎ」の受信方向となる。ここで、「ｎ」は、メモリ１０ｂに最後に格納された受信方向番号である。２番目に選択される受信方向は、受信方向番号が「（ｎ−１）ｍｏｄ１６」の受信方向となる。３番目に選択される受信方向は、受信方向番号が「（ｎ＋１）ｍｏｄ１６」の受信方向となる。４番目に選択される受信方向は、受信方向番号が「（ｎ−２）ｍｏｄ１６」の受信方向となる。５番目に選択される受信方向は、受信方向番号が「（ｎ＋２）ｍｏｄ１６」の受信方向となる。６番目以降に選択される受信方向は、受信方向番号が「（ｎ＋２）ｍｏｄ１６」の受信方向から時計回り（正の回転方向）に＋２２．５度ずつ順次変化した受信方向となる。
【０１８５】
図１３（ｃ）は、メモリ１０ｂ内に受信方向番号が格納され、かつ選択されているチャンネルがアナログ放送のチャンネルの場合の受信方向の選択順序リストの例を示す図である。
【０１８６】
図１３（ｃ）を参照して、最初に選択される受信方向は、受信方向番号が「ｎ」の受信方向となる。２番目に選択される受信方向は、受信方向番号が「（ｎ−１）ｍｏｄ１６」の受信方向となる。３番目に選択される受信方向は、受信方向番号が「（ｎ＋１）ｍｏｄ１６」の受信方向となる。４番目に選択される受信方向は、受信方向番号が「（ｎ＋２）ｍｏｄ１６」の受信方向となる。５番目以降に選択される受信方向は、受信方向番号が「（ｎ＋２）ｍｏｄ１６」の受信方向から時計回り（正の回転方向）に＋２２．５度ずつ順次変化した受信方向となる。
【０１８７】
（２）  アナログ放送のチャンネルの方向検索について
本発明の実施形態では、選択したチャンネルがアナログ放送のチャンネルの場合には、常に、受信方向番号が「０」の受信方向から方向検索制御を行なったが、これに限定するものではなく、デジタル放送のチャンネルと同様に、受信方向番号が格納されている場合には、その格納されている受信方向番号の受信方向から方向検索制御を行なうものとしてもよい。
【０１８８】
また、アナログ放送のチャンネルについて、常に受信方向番号が「０」の受信方向から方向検索制御を行なうか、あるいは受信方向番号が格納されている場合に、その格納されている受信方向番号の受信方向から方向検索制御を行なうかをユーザが選択できるようにし、制御部１０は、ユーザの選択に応じて処理を行なうものとしてもよい。
【０１８９】
（３）  オートスキャンと選局時
本発明の実施形態では、オートスキャン時にメモリ１０ｂに格納された受信方向番号は、ユーザによる選局前に消去されるものとしたが、これに限定するものではなく、消去せずに、ユーザによる選局時に、オートスキャン時にメモリ１０ｂに格納された受信方向番号を用いるものとしてもよい。
【０１９０】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【図面の簡単な説明】
【０１９１】
【図１】この発明の実施の形態１に従う放送受信装置の概略構成図である。
【図２】この発明の実施の形態１に従うスマートアンテナの受信方向切換え図である。
【図３】この発明の実施の形態１に従うオートスキャンを実行するプログラムのフローチャートである。
【図４】図３におけるステップＳ６０３の通常のオートスキャン処理を実行するプログラムのフローチャートである。
【図５】図３におけるステップＳ６０４の高速オートスキャン処理を実行するプログラムのフローチャートである。
【図６】この発明の実施の形態１に従う選局時の受信方向サーチを実行するプログラムのフローチャートである。
【図７】この発明の実施の形態１に従う選局時の通常の受信方向サーチのプログラムのフローチャートである。
【図８】この発明の実施の形態１に従う選局時の高速受信方向サーチのプログラムのフローチャートである。
【図９】この発明の実施の形態２に従う高速オートスキャン処理を実行するプログラムのフローチャートである。
【図１０】（ａ）は、メモリ１０ｂ内に受信方向番号が格納されていない場合、または選択されているチャンネルがアナログ放送のチャンネルの場合の受信方向の選択順序リストの例を示す図であり、（ｂ）は、メモリ１０ｂ内にチャンネル番号に対応した受信方向番号が格納され、かつ選択されているチャンネルがデジタル放送のチャンネルの場合の受信方向の選択順序リストの例を示す図である。
【図１１】図１０（ｂ）において、ｎが「７」のときの受信方向の選択順序を表わした図である。
【図１２】この発明の実施の形態２に従う選局時の高速受信方向サーチのプログラムのフローチャートである
【図１３】（ａ）は、メモリ１０ｂ内にチャンネル番号に対応した受信方向番号が格納されていない場合の受信方向の選択順序リストの例を示す図であり、（ｂ）は、メモリ１０ｂ内に受信方向番号が格納され、かつ選択されているチャンネルがデジタル放送のチャンネルの場合の受信方向の選択順序リストの例を示す図であり、（ｃ）は、メモリ１０ｂ内に受信方向番号が格納され、かつ選択されているチャンネルがアナログ放送のチャンネルの場合の受信方向の選択順序リストの例を示す図である。
【符号の説明】
【０１９２】
１  放送受信装置、１０  制御部、１０ａ  ＣＰＵ、１０ｂ  メモリ、１６  チューナ、１８  デジタルデコーダ、２０  アナログデコーダ、２２  ＭＰＥＧデコーダ、２２ａ  ＯＳＤ、２４  受信方向切換部、２６  リモコン受信部、３０  スマートアンテナ、４０  テレビ、４２  リモコン。
【図１】
2006042159.tif 000003
【図２】
2006042159.tif 000004
【図３】
2006042159.tif 000005
【図４】
2006042159.tif 000006
【図５】
2006042159.tif 000007
【図６】
2006042159.tif 000008
【図７】
2006042159.tif 000009
【図８】
2006042159.tif 000010
【図９】
2006042159.tif 000011
【図１０】
2006042159.tif 000012
【図１１】
2006042159.tif 000013
【図１２】
2006042159.tif 000014
【図１３】
2006042159.tif 000015